(57)【要約】      （修正有）【課題】リンク機構を効果的に利用し、押圧ヘッドの可動範囲を大きくできると共に、コンパクト且つ合理的に構成できる体の筋肉の指圧・もみ具を提供する。【解決手段】アーム部材１０ａの基端部に支持取手１３を備えると共にアーム部材の長手方向の中途部に配された一方の押圧ヘッド１５を備える支持アーム１０と、支持アーム１０の先端部に回動基端部２２が軸着されることで回動先端部２１が回動可能に設けられると共に回動先端部に配された他方の押圧ヘッド２５を備える可動アーム２０と、支持アーム１０の中途部にアームの一端部３１が軸着されることで回動可能に設けられると共にアームの他端部３２に操作取手３３を備える操作アーム３０と、一端部が可動アーム２０の中途部に回動可能に軸着されると共に他端部が操作アーム３０の中途部に回動可能に軸着されて操作動作を伝達させるリンク４０とを具備する。【選択図】図１
0003192304.tif 000002
【実用新案登録請求の範囲】
【請求項１】
リンク機構によって一対の押圧ヘッドを動作させて筋肉の揉み操作を行うことができる手動の体の筋肉の指圧・もみ具であって、
棒状に設けられたアーム部材の基端部に使用者が把持して支持できる支持取手を備えると共に該アーム部材の長手方向の中途部に使用者の被押圧部を押圧できるように配された一方の押圧ヘッドを備える支持アームと、
該支持アームの先端部に回動基端部が軸着されることで回動先端部が回動可能に設けられると共に該回動先端部に使用者の被押圧部を押圧できるように配された他方の押圧ヘッドを備える可動アームと、
前記支持アームの中途部にアームの一端部が軸着されることで回動可能に設けられると共にアームの他端部に回動を操作するために使用者が把持できる操作取手を備える操作アームと、
一端部が前記可動アームの中途部に回動可能に軸着されると共に他端部が前記操作アームの中途部に回動可能に軸着されて操作動作を伝達させるリンクとを具備することを特徴とする体の筋肉の指圧・もみ具。
【請求項２】
前記支持アームの先端部から中途部の間が二重構造に構成されるように補強部材が前記支持アームのアーム部材に沿って装着され、該アーム部材と該補強部材との間のスペースに前記リンクが挿通された状態に配されて作動されることを特徴とする請求項１記載の体の筋肉の指圧・もみ具。
【請求項３】
前記支持アームのアーム部材が、金属パイプによって構成されており、該アーム部材の先端部から中途部の間の前記補強部材と二重構造になる部位が、前記金属パイプを潰して平らにした形態に設けられていることを特徴とする請求項１又は２記載の体の筋肉の指圧・もみ具。
【請求項４】
前記一方の押圧ヘッドが前記補強部材の端部に固着されていることで前記支持アームの中途部に配されていることを特徴とする請求項１〜３のいずれかに記載の体の筋肉の指圧・もみ具。
【請求項５】
前記支持アームが、使用者の肩にフィットするように、前記他方の押圧ヘッドの配設された前記可動アームが回動する側へ傾くように曲げられていることを特徴とする請求項１〜４のいずれかに記載の体の筋肉の指圧・もみ具。
【考案の詳細な説明】
【技術分野】
【０００１】
この考案は、リンク機構によって一対の押圧ヘッドを動作させて筋肉の揉み操作を行うことができる手動の体の筋肉の指圧・もみ具に関する。
【背景技術】
【０００２】
従来から、肩凝り等の凝りを解消するため、ツボを押圧（指圧）する手動の器具としては、湾曲したバネ性線材の先端に、ツボを押圧するように先がやや尖った球体形の押圧ヘッドが固着されたものが知られている。しかしながら、このツボを刺激する器具では、揉む動作を行うことができず、肩凝り等の凝りをより効果的に解消することが難しかった。
【０００３】
これに対しては、揉む動作を行う器具の例として従前に、左右２本の金属棒からなる支持棒において、該左右の支持棒は前方斜め下方に球状面を向けた半球状挟圧ヘッドを各先端に設けて斜め上方に後退する左右の後退部に形成され、該左右２本の後退部の後端に該左右の後退部を左右に離間しかつ後退部を水平回動自在に係合した係合部材を設け、該係合部材の直後から左右２本の後退部はそれぞれ外側に湾曲反転して半球状挟圧ヘッドの外側部と離間して通り越し前方に延びる前腕部に形成され、前腕部の先端部は八の字状に先端が開きかつ先端にそれぞれ握り部を有することを特徴とする肩もみ具（特許文献１参照）が開示されている。
【先行技術文献】
【特許文献】
【０００４】
【特許文献１】実用新案登録３０３１７９４号公報（第１頁）
【考案の概要】
【考案が解決しようとする課題】
【０００５】
体の筋肉の指圧・もみ具に関して解決しようとする問題点は、従前の肩もみ具では、挟圧ヘッド（押圧ヘッド）の可動範囲を大きくして揉みの自由度を高めるためには、器具全体が大型化し易くなることにある。
そこで、本考案の目的は、リンク機構を効果的に利用し、押圧ヘッドの可動範囲を大きくできると共に、コンパクト且つ合理的に構成できる体の筋肉の指圧・もみ具を提供することにある。
【課題を解決するための手段】
【０００６】
本考案は、上記目的を達成するために次の構成を備える。
本考案にかかる体の筋肉の指圧・もみ具の一形態によれば、リンク機構によって一対の押圧ヘッドを動作させて筋肉の揉み操作を行うことができる手動の体の筋肉の指圧・もみ具であって、棒状に設けられたアーム部材の基端部に使用者が把持して支持できる支持取手を備えると共に該アーム部材の長手方向の中途部に使用者の被押圧部を押圧できるように配された一方の押圧ヘッドを備える支持アームと、該支持アームの先端部に回動基端部が軸着されることで回動先端部が回動可能に設けられると共に該回動先端部に使用者の被押圧部を押圧できるように配された他方の押圧ヘッドを備える可動アームと、前記支持アームの中途部にアームの一端部が軸着されることで回動可能に設けられると共にアームの他端部に回動を操作するために使用者が把持できる操作取手を備える操作アームと、一端部が前記可動アームの中途部に回動可能に軸着されると共に他端部が前記操作アームの中途部に回動可能に軸着されて操作動作を伝達させるリンクとを具備する。
【０００７】
また、本考案にかかる体の筋肉の指圧・もみ具の一形態によれば、前記支持アームの先端部から中途部の間が二重構造に構成されるように補強部材が前記支持アームのアーム部材に沿って装着され、該アーム部材と該補強部材との間のスペースに前記リンクが挿通された状態に配されて作動されることを特徴とすることができる。
【０００８】
また、本考案にかかる体の筋肉の指圧・もみ具の一形態によれば、前記支持アームのアーム部材が、金属パイプによって構成されており、該アーム部材の先端部から中途部の間の前記補強部材と二重構造になる部位が、前記金属パイプを潰して平らにした形態に設けられていることを特徴とすることができる。
【０００９】
また、本考案にかかる体の筋肉の指圧・もみ具の一形態によれば、前記一方の押圧ヘッドが前記補強部材の端部に固着されていることで前記支持アームの中途部に配されていることを特徴とすることができる。
【００１０】
また、本考案にかかる体の筋肉の指圧・もみ具の一形態によれば、前記支持アームが、使用者の肩にフィットするように、前記他方の押圧ヘッドの配設された前記可動アームが回動する側へ傾くように曲げられていることを特徴とすることができる。
【考案の効果】
【００１１】
本考案にかかる体の筋肉の指圧・もみ具によれば、リンク機構を効果的に利用し、押圧ヘッドの可動範囲を大きくできると共に、コンパクト且つ合理的に構成できるという特別有利な効果を奏する。
【図面の簡単な説明】
【００１２】
【図１】本考案にかかる体の筋肉の指圧・もみ具の形態例を示す側面図である。
【図２】図１の形態例の操作アームを回動操作することで一対の押圧ヘッドが大きく開いている状態を示す側面図である。
【図３】図１の形態例のリンクの取り付け状態及び作動状態を示す斜視図である。
【考案を実施するための形態】
【００１３】
以下、本考案にかかる体の筋肉の指圧・もみ具の形態例を、図１〜３に基づいて説明する。この体の筋肉の指圧・もみ具は、リンク機構によって一対の押圧ヘッド１５、２５を動作させて筋肉の揉み操作を行うことができる手動の器具である。
【００１４】
１０は支持アームであり、棒状に設けられたアーム部材１０ａの基端部１２に使用者が把持して支持できる支持取手１３を備えると共に、そのアーム部材１０ａの長手方向の中途部に使用者の被押圧部を押圧できるように配された一方の押圧ヘッド１５を備えている。本形態例の一方の押圧ヘッド１５は、木材によって紡錘形状に形成され、支持アーム１０を構成する部材に装着されており、使用時には、支持アーム１０と一体に動かずに使用者の肩の前側の部分などの被押圧部に押圧される。
【００１５】
２０は可動アームであり、支持アーム１０の先端部１１に回動基端部２２が軸着されることで回動先端部２１が回動可能に設けられると共に、その回動先端部２１に使用者の被押圧部を押圧できるように配された他方の押圧ヘッド２５を備えている。支持アーム１０の先端部１１に、可動アーム２０の回動基端部２２が軸着された軸部が、第１回動軸５１になっている。この第１回動軸５１を中心に、他方の押圧ヘッド２５が回動できる可動状態になっており、使用者の肩部を一方の押圧ヘッド１５と共に挟んで揉む動作を行うことができる。なお、本形態例の他方の押圧ヘッド２５は、一方の押圧ヘッド１５と対になるように、木材によって紡錘形状に形成されている。
【００１６】
３０は操作アームであり、支持アーム１０の中途部にアームの一端部３１が軸着されることで回動可能に設けられると共に、アームの他端部３２に回動を操作するために使用者が把持できる操作取手３３を備えている。支持アーム１０の中途部であるアーム部材１０ａの中途部に、操作アーム３０のアームの一端部３１が軸着された軸部が、第２回動軸５２になっており、操作アーム３０が回動操作できる構成になっている。本形態例の操作アーム３０は、一端部３１側の部位がＬ字状に屈曲した形態となっており、その先端である一端部３１が第２回動軸５２に軸着され、Ｌ字状の屈曲部が操作アーム３０の中途部となって後述する第４回動軸５４に軸着された形態に設けられている。
【００１７】
４０はリンクであり、一端部４１が可動アーム２０の中途部に回動可能に軸着されると共に、他端部４２が操作アーム３０の中途部に回動可能に軸着されて操作動作を伝達させるように配されている。リンク４０の一端部４１が、可動アーム２０の中途部に軸着された軸部が、第３回動軸５３になっている。また、リンク４０の他端部４２が、操作アーム３０の中途部に軸着された軸部が、第４回動軸５４になっている。これにより、この体の筋肉の指圧・もみ具は、回動軸を４個備える四節のリンク機構になっており、操作アーム３０の操作が、リンク４０を介して可動アーム２０の回動の動作に伝達されるように設けられている。
【００１８】
この体の筋肉の指圧・もみ具によれば、一方の手で支持取手１３を把持し、他方の手で操作取手３３を把持して往復回動操作することで、他方の押圧ヘッド２５を作動させて、一方の押圧ヘッド１５との間で肩などの使用者の被揉み部を挟むようにして揉むことができる。なお、この体の筋肉の指圧・もみ具は、使用者の肩に限定されることなく、首すじ、ふくらはぎ、大腿部、腰など、体全体のいたるところを、適切且つ容易に揉むことができると共に、各押圧ヘッド１５、２５によって指圧も行うことができる。
【００１９】
そして、この体の筋肉の指圧・もみ具によれば、以上に説明した四節のリンク機構によって、他方の押圧ヘッド２５の可動範囲を大きくできると共に、コンパクト且つ合理的に構成できる。このようにコンパクトに構成できることで、コンパクトに操作することができると共に、使用者は肩などを揉む動作のための力加減を容易に調整することができ、その操作性を向上できるという特別有利な効果を奏する。なお、各回動軸には、各アーム及びリンクの作動をスムースにするため、ワッシャーなどを介在させることができるのは勿論である。
【００２０】
また、本形態例では、支持アーム１０の先端部１１から中途部の間が二重構造に構成されるように補強部材１０ｂが支持アーム１０のアーム部材１０ａに沿って装着され、そのアーム部材１０ａとその補強部材１０ｂとの間のスペース１０ｃ（図３参照）にリンク４０が挿通された状態に配されて作動されるように構成されている。
【００２１】
これによれば、一方の押圧ヘッド１５と他方の押圧ヘッド２５との相対的な可動面が同一面に一致した状態で、その可動面が支持アーム１０の軸心の中心を通るように構成できる。従って、使用者による可動アーム２０を回動させる操作の力が偏ることがなく、バランスよく好適に揉む動作に変換でき、操作し易く、操作性を向上できる。また、このようにスムースに動かすことができるため、器具の傷みが少なく、信頼性を向上できる。
【００２２】
また、本形態例の補強部材１０ｂによれば、リンク４０が挿入される隙間であるスペース１０ｃを十分に得るために、両端部に段部を有する長手部材に形成さている。そして、補強部材１０ｂの一端部が第１回動軸５１に軸着され、補強部材１０ｂの他端部が第２回動軸５２に軸着されることで、その補強部材１０ｂがアーム部材１０ａに固定される状態に装着され、スペース１０ｃが形成されている。第１回動軸５１では、可動アーム２０の回動基端部２２が、アーム部材１０ａ（支持アーム１０）の先端部１１と補強部材１０ｂの一端部に挟まれて、可動アーム２０が回動可能に軸着されている。第２回動軸５２では、操作アーム３０のアームの一端部３１が、アーム部材１０ａ（支持アーム１０）の中途部と補強部材１０ｂの他端部に挟まれて、操作アーム３０が回動可能に軸着されている。これによれば、第１回動軸５１及び第２回動軸５２を合理的に利用して構成でき、他の別の装着部を設けることなく補強部材１０ｂが装着されており、構造を簡素化できる。このため、合理的且つ容易に製造でき、生産性を向上できる。
【００２３】
また、本形態例では、支持アーム１０のアーム部材１０ａが、金属パイプによって構成されており、そのアーム部材１０ａの先端部１１から中途部の間の補強部材１０ｂと二重構造になる部位が、金属パイプを潰して平らにした形態に設けられている。これによれば、リンク４０が作動するスペース１０ｃを適切に設けることができ、材料を適切に利用できることから、製造コストを抑制することができ、生産性を向上できる。
【００２４】
さらに、本形態例では、一方の押圧ヘッド１５が補強部材の端部１０ｄに固着されていることで支持アーム１０の中途部に配されている。これによれば、アーム部材１０ａに補強部材１０ｂを後付けで固定することで、一方の押圧ヘッド１５を支持アーム１０の中途部に適切且つ容易に配置することができ、材料を適切に利用できると共に組立て易いことから、合理的且つ容易に製造でき、生産性を向上できる。
【００２５】
また、本形態例では、支持アーム１０が、使用者の肩にフィットするように、他方の押圧ヘッド２５の配設された可動アーム２０が回動する側へ傾くように曲げられている。これによれば、一対の押圧ヘッド１５、２５が、使用者の肩に適切にフィットし易く、肩揉みを適切且つ容易に行うことができ、操作性を向上できる。
【００２６】
以上、本考案の一形態例を説明したが、本考案はこの形態例に何ら限定されるものではなく、本考案の精神を逸脱しない範囲において、種々の形態で実施し得ることは勿論である。
【符号の説明】
【００２７】
１０  支持アーム
１０ａ  アーム部材
１０ｂ  補強部材
１０ｃ  スペース
１０ｄ  補強部材の端部
１１  先端部
１２  基端部
１３  支持取手
１５  一方の押圧ヘッド
２０  可動アーム
２１  回動先端部
２２  回動基端部
２５  他方の押圧ヘッド
３０  操作アーム
３１  アームの一端部
３２  アームの他端部
３３  操作取手
４０  リンク
４１  一端部
４２  他端部
５１  第１回動軸
５２  第２回動軸
５３  第３回動軸
５４  第４回動軸
【図１】
0003192304.tif 000003
【図２】
0003192304.tif 000004
【図３】
0003192304.tif 000005